(57)【要約】【課題】複雑な配管調整を行うことなく、設置場所の壁面などに容易に設置することができる燃料電池システムを提供する。【解決手段】本発明の燃料電池システムＳのＰＥＦＣ装置は、燃料ガスを水素に改質する改質装置１３と、水素によって発電する燃料電池６と、廃熱を回収して温水とする熱交換器２７、３３などを外装ケース６０内に収納して成り、燃料ガスのガス管１７と、温水を蓄える貯湯槽７との間の温水配管４２、４３及びドレン水配管３６、３８の接続部１７Ａ、４２Ａ、４２Ｂ、４３Ａ、４３Ｂ、３６Ａ、３８Ａを、外装ケース６０の下面に配置した。【選択図】      図１
2004178916.tif 000002
【特許請求の範囲】
【請求項１】
燃料ガスを水素に改質する改質装置と、水素によって発電する燃料電池と、廃熱を回収して温水とする熱交換器などを外装ケース内に収納して成る燃料電池システムであって、
前記燃料ガスのガス管と、前記温水を蓄える貯湯槽との間の温水配管及びドレン水配管の接続部を、前記外装ケースの下面に配置したことを特徴とする燃料電池システム。
【請求項２】
前記貯湯槽との間の通信線及び電気配線の外装ケース貫通部を、前記外装ケースの下面に配置したことを特徴とする請求項１の燃料電池システム。
【請求項３】
前記燃料ガスは、天然ガス、都市ガス、メタノール、ＬＰＧ、ブタンなどであることを特徴とする請求項１又は請求項２の燃料電池システム。
【発明の詳細な説明】
【０００１】
【発明の属する技術分野】
本発明は、燃料ガスを水素に改質する改質装置と、水素によって発電する燃料電池と、廃熱を回収して温水とする熱交換器などを外装ケース内に収納して成る燃料電池システムに関するものである。
【０００２】
【従来の技術】
近年、天然ガス、都市ガス、メタノール、ＬＰＧ、ブタンなどの燃料ガスを水素に改質する改質器と、一酸化炭素を変成するＣＯ変成器と、一酸化炭素を除去するＣＯ除去器（以下、これら改質器と、ＣＯ変成器と、ＣＯ除去器とを合わせて改質装置と称す。）と、水素によって発電する燃料電池などを備えた燃料電池発電システムが提案されている。
【０００３】
特に、家庭用の小型電源として固体高分子形燃料電池発電システムが用いられており、係る燃料電池発電システムは、改質装置と、燃料電池と、制御系と、水タンクと、各種ポンプ類と、発電時に生じる廃熱を回収して温水とする熱交換器と、燃料電池で発電した電力を商用交流に変換する電力変換装置とを備えたＰＥＦＣ装置と、上記熱交換器にて燃料電池で発生した熱を回収した温水を貯留する貯湯槽などを備えた熱回収装置とにより構成されている。
【０００４】
従来のＰＥＦＣ装置は、上述した改質装置と、燃料電池と、制御系と、水タンクや各種ポンプ類などを含む補機と、熱交換器と、電力変換装置などを一つの外装ケース内に収容し、各家庭の屋外などに設置されている（例えば、特許文献１参照。）。
【０００５】
【特許文献１】
特開２００２−１７０５９１号公報
【０００６】
【発明が解決しようとする課題】
しかしながら、燃料電池発電システムを構成する従来のＰＥＦＣ装置は、熱交換器にて熱回収を行った温水を貯留する貯湯槽と接続する温水配管や、燃料ガスを該装置内に取り込むためのガス管、該装置内に生成されたドレン水を排出するためのドレン水配管などが、装置後方や左右等に統一されることなくそれぞれ引き出されていた。
【０００７】
他方、例えば集合住宅などに当該燃料電池発電システムのＰＥＦＣ装置を設置する場合には、配水管やガス管が集中的に通っていて当該排水管やガス管が全階に渡ってを上下に貫通した所謂、パイプシャフトに設けることが望ましい。
【０００８】
しかしながら、上述の如くＰＥＦＣ装置は、内部の配置によりそれぞれ装置の後方や左右等に配管が引き出されているため、各設置場所、特に、既存のパイプシャフトに設置することが困難であった。また、各種配管の引き出しに合わせてこれらに接続される配管を調整しなければ成らず、設置作業性が悪いという問題がある。
【０００９】
そこで、本発明は、従来の技術的課題を解決するために成されたものであり、複雑な配管調整を行うことなく、設置場所の壁面などに容易に設置することができる燃料電池システムを提供することを目的とする。
【００１０】
【課題を解決するための手段】
即ち、本発明の燃料電池システムは、燃料ガスを水素に改質する改質装置と、水素によって発電する燃料電池と、廃熱を回収して温水とする熱交換器などを外装ケース内に収納して成るものであって、燃料ガスのガス管と、温水を蓄える貯湯槽との間の温水配管及びドレン水配管の接続部を、外装ケースの下面に配置したことを特徴とする。
【００１１】
本発明によれば、燃料ガスを水素に改質する改質装置と、水素によって発電する燃料電池と、廃熱を回収して温水とする熱交換器などを外装ケース内に収納して成る燃料電池システムであって、燃料ガスのガス管と、温水を蓄える貯湯槽との間の温水配管及びドレン水配管の接続部を、外装ケースの下面に配置したので、外装ケースの背面を設置場所の壁面などに取り付けることにより、容易に当該燃料電池システムを設置することができるようになる。
【００１２】
そのため、燃料電池システムの各種配管の接続部の配置箇所を設置場所に応じて格別に変更を行うことなく、例えば集合住宅などの既存のパイプシャフトに容易に設置することができるようになり、利便性が向上する。
【００１３】
請求項２の発明の燃料電池システムは、上記発明に加えて、貯湯槽との間の通信線及び電気配線の外装ケース貫通部を、外装ケースの下面に配置したことを特徴とする。
【００１４】
請求項２の発明によれば、上記発明に加えて、貯湯槽との間の通信線及び電気配線の外装ケース貫通部を、外装ケースの下面に配置したので、当該燃料電池システムの背面を設置場所の壁に設けた場合であっても、容易に外装ケースを貫通させて通信線及び電気配線の接続を行うことができるようになり、より利便性が向上する。
【００１５】
請求項３の発明の燃料電池システムは、上記各発明に加えて、燃料ガスは、天然ガス、都市ガス、メタノール、ＬＰＧ、ブタンなどであることを特徴とする。
【００１６】
請求項３の発明によれば、上記各発明に加えて、燃料ガスは、天然ガス、都市ガス、メタノール、ＬＰＧ、ブタンなどであるので、改質装置によって燃料電池システムに必要な水素を容易に得ることができ、集合住宅などにおける既存のパイプシャフトにおいて、実施が可能となる。
【００１７】
【発明の実施の形態】
以下、図面に基づいて本発明の実施形態を詳述する。本実施例における燃料電池システムは、固体高分子形燃料電池発電システム（ポリマ・エレクトロライト・フューエル・セル：ＰＥＦＣ装置）Ｓであり、例えば、図示しないアパートやマンションなどの集合住宅において、配水管（水道管）やガス管が集中的に通っていると共に、全階を上下に渡って貫通した部屋、所謂パイプシャフト５０に設置されるものである。
【００１８】
この燃料電池発電システムＳは、上記ＰＥＦＣ装置の他に燃料電池発電システムの発電において生じる熱を有効的に利用するコージェネレーションシステムの形態を採用しているため、熱回収装置として貯湯タンク７（貯湯槽。図３のみ図示する。）を有している。
【００１９】
ここで、図３を参照して固体高分子形燃料電池発電システムＳについて説明する。この燃料電池発電システムＳでは、天然ガス、都市ガス、メタノール、ＬＰＧ、ブタン等の燃料の供給源である燃料供給源１と、燃料ガスから硫黄成分を除去する脱硫器２と、改質装置１３と、固体高分子形の燃料電池６とを備える。改質装置１３は、燃料ガスから水素、二酸化炭素及び一酸化炭素を含む改質ガスを生成する改質器３と、この改質器３からの改質ガスに含まれる一酸化炭素を二酸化炭素に変成するＣＯ変成器４と、このＣＯ変成器４からの未変性の一酸化炭素を除去するＣＯ除去器５とを備えている。燃料電池６は、改質装置１３のＣＯ除去器５からの一酸化炭素が除去された後の水素と空気中に含まれる酸素とを反応させて電力を発生させるものであり、この燃料電池６は、燃料極（アノード）６ａと、空気極（カソード）６ｂと、冷却部６ｃとを備えている。
【００２０】
前記燃料供給源１からはガス管１７が延出され、このガス管１７には電磁開閉弁１８及び昇圧ポンプ１９が設けられ、ガス管１７は脱硫器２に接続される。脱硫器２はガス管２２を介して改質装置１３の改質器３に接続される。そして、この改質器３は、図示しないガス管により、ＣＯ変性器４、ＣＯ除去器５と順次接続されている。この改質装置１３には、昇圧ポンプ４０が設けられた配管４１を介して水タンク２１が接続される。
【００２１】
ここで、水タンク２１は、水道管４７を通じて市水が供給された水処理装置８により、純水とされた水を貯留するものである。尚、水処理装置８にて純水とされた水は、この他にも、昇圧ポンプ４４により各配管９、１０を介して水タンク１１及び１２に搬送される。また、水道管４７を通じて市水は、貯湯タンク７にも供給されているものとする。
【００２２】
そして、ＣＯ除去器５は、ガス管２３を介して水タンク１１に接続され、この水タンク１１は、配管２４を介して燃料電池６の燃料極６ａに接続される。この燃料極６ａは、配管３７を介して改質装置１３に接続されていると共に、配管３７には、ドレン水配管３８が接続されている。そして、水タンク１１は、配管２５を介して燃料電池６の冷却部６ｃに接続され、冷却部６ｃは、熱回収用熱交換器２７が介設された配管２６を介して再び水タンク１１に接続されている。
【００２３】
他方、上記水タンク１２は、配管３１を介して空気供給源３０と接続され、配管３２を介して燃料電池６の空気極６ｂに接続される。この空気極６ｂは、配管３４を介して熱回収用熱交換器３３に接続される。この熱回収用熱交換器３３には、排気ダクト３５及びドレン水配管３６が接続される。
【００２４】
また、上記貯湯タンク７は、昇圧ポンプ４５により温水配管４２を介して上述した熱回収用熱交換器２７と接続されていると共に、昇圧ポンプ４６により温水配管４３を介して上述した熱回収用熱交換器３３と接続されている。
【００２５】
以上の構成により、燃料電池発電システムＳの運転が開始されると、燃料供給源１から燃料ガスが、電磁開閉弁１８を介して昇圧ポンプ１９に入り、当該昇圧ポンプ１９にて昇圧されて、脱硫器２に供給される。ここで燃料ガスから硫黄成分が除去される。この脱硫器２に、例えば活性炭等の吸着反応を利用した触媒を使用した場合、常温で、硫黄成分を除去することができる。この脱硫器２を経た燃料ガスは、ガス管２２を介して改質装置１３の改質器３に供給される。
【００２６】
この改質器３では、水素、二酸化炭素及び一酸化炭素を含む改質ガスが生成される。この改質器３を経たガスは、ＣＯ変成器４に供給され、ここでは改質ガスに含まれる一酸化炭素が二酸化炭素に変性される。このＣＯ変成器４を経たガスは、ＣＯ除去器５に供給され、ここではＣＯ変成器４を経たガス中の未変性の一酸化炭素が除去される。
【００２７】
このＣＯ除去器５を経た当該一酸化炭素が除去された後の水素が、ガス管２３、水タンク１１及びガス管２４を介して固体高分子形の燃料電池６の燃料極６ａに供給される。他方、空気極６ｂには、空気供給源３０から空気が供給された水タンク１２より空気が供給される。これにより、燃料極６ａに供給された水素と、空気極６ｂに供給された空気中に含まれる酸素とが反応し、電力が発生する。
【００２８】
尚、上記改質器３は、内部に図示しないバーナを有し、ここには配管３７を介して、燃料極６ａを経た未反応水素がオフガスとして供給される。このとき、化学反応により生じ、燃料極６ａに一部残存、若しくは、移動した水及び改質装置１３において生じたドレン水は、ドレン水配管３８により外部に排出される。
【００２９】
また、空気極６ｂから配管３４に導出された空気は、燃料電池６の発熱反応によって温度上昇しており、この温度上昇した排気空気は、上記貯湯タンク７の水が温水配管４３を介して循環する熱回収用熱交換器３３で熱回収された後、排気ダクト３５を通じて外部に放出される。このとき、熱回収用熱交換器３３での熱交換によって、貯湯タンク７の水が温度上昇する。他方、燃料電池６の化学反応において生じた水は、温度上昇した排気空気中に水蒸気として存在しているため、熱回収用熱交換器３３にて貯湯タンク７の水と熱交換した際に凝縮され、ドレン水としてドレン水配管３６より外部に排出される。
【００３０】
そして、この燃料電池６にて水素と空気中の酸素とを化学反応させて発電された電力は、昇圧コンバータ１５を経て、インバータに必要な電圧にまで昇圧され、系統連系インバータ１６（図２では、上記昇圧コンバータ１５と当該系統連系インバータ１６を合わせて電力変換装置として示す。）に送られ、ここから、単相３線の１００Ｖ／２００Ｖの電源として電気配線６６を介して図示しない家庭に供給される。また、系統連系インバータ１６は、図２に示す如く貯湯タンク７への通信線６７も接続されている。尚、この燃料電池発電システムＳは、系統連系インバータ１６を介して商用電源にも接続されているものとする。
【００３１】
上述した改質器３、ＣＯ変成器４、ＣＯ除去器５、燃料電池６では、所定の反応温度を有する化学反応が行われる。改質器３における化学反応は吸熱反応であるので、改質装置１３に設けられた前記バーナによって常時加熱しながら化学反応を行う。
【００３２】
また、ＣＯ変成器４、ＣＯ除去器５で行われる化学反応は発熱反応であるので、システム起動時のみ図示しないバーナを燃焼させて、燃焼ガスを発生させ、このとき発生した燃焼ガスの熱でＣＯ除去器５の温度を反応温度まで昇温し、この反応温度まで昇温した後には、発熱反応の熱により反応温度以上に昇温しないように冷却が行われる。
【００３３】
燃料電池６では、電気化学反応が行われ、この電気化学反応時の活性化過電圧、濃度過電圧、抵抗過電圧により熱が発生する。このとき、燃料電池６の冷却部６ｃには、図示しないポンプにより、水タンク１１の水が供給され、当該冷却部６ｃを経た水は、配管２６を介して熱回収用熱交換器２７を通過し、再び水タンク１１に帰還する。尚、熱回収用熱交換器２７には、上記貯湯タンク７の水が温水配管４２を介して循環するため、貯湯タンク７の水が温度上昇し、水タンク１１の水の温度が低下する。これにより、水タンク１１の水が冷却部６ｃを循環することにより、燃料電池６が冷却される。また、貯湯タンク７の水は発電の際に生じる熱を利用して温度上昇させることができるため、この熱を利用して市水から温水を生成し、この温水は、家庭において図示しない風呂やキッチンなどに供給することができる。
【００３４】
上記改質器３の排気系には、図示しない熱交換器が接続され、水タンク２１の水がポンプ４０を介して供給されると、当該熱交換器で水蒸気化し、この水蒸気が、原燃料と混合して改質器３に供給される。
【００３５】
以上の構成により、燃料電池発電システムＳが、コージェネレーションシステムの形態をとるので、エネルギーの有効活用が図られる。したがって、高い総合熱効率が得られるので、原燃料の消費量が減少し、二酸化炭素の排出量が低減される。
【００３６】
次に、本発明の燃料電池発電システムＳのＰＥＦＣ装置について、図１及び図２を参照して説明する。ＰＥＦＣ装置は、図２に示す如く各種機器類が一つの外装ケース６０内にまとめて収容されている。この外装ケース６０は、鉄鋼系材料やステンレス系材料にて形成された例えば矩形状の箱体であり、前面には、開閉自在に内部を閉塞するための前面パネル６１が設けられている。尚、この前面パネル６１には、外装ケース６０内に空気を取り込むための吸気口６２及び外装ケース６０内の排気を排出するための排気口６３が形成されている。吸気口６２及び排気口６３はそれぞれ複数形成されていても良いものとする。また、この排気口６３は、前面パネル６１の上部に形成されていることが望ましい。
【００３７】
前記パイプシャフト５０には、通常、向かって右側にガス管１７、左側に水道管４７が設けられている。これに対応し、本発明のＰＥＦＣ装置は、外装ケース６０内の向かって右側に改質器３と、ＣＯ変成器４と、ＣＯ除去器５とを備える改質装置１３及び脱硫器２（図２では図示せず。）が配設される。この改質装置１３及び脱硫器２は、単一のユニットケースに収容されており、当該ユニットケースの下部にガス管１７から燃料ガスを取り入れるためのガス管接続部１７Ａが設けられ、係るガス管接続部１７Ａは、外装ケース６０の下面にまで引き出されている。
【００３８】
そして、この外装ケース６０の上部には、燃料電池６が配設され、この燃料電池６の下方には、前記熱交換器２７及び３３が配設される。これら熱交換器２７及び３３には、上述した如くそれぞれ温水配管４２、４３を介して当該ＰＥＦＣ装置とは別置きとされる貯湯タンク７と接続するため、熱交換器２７及び３３から貯湯タンク７へ搬送する温水配管４２、４３の接続部４２Ａ、４３Ａ及び貯湯タンク７から熱交換器２７及び３３に搬送される温水配管４２、４３の接続部４２Ｂ、４３Ｂは、それぞれ外装ケース６０の下部にまで引き出されている。
【００３９】
この熱交換器２７及び３３の下方には、図示しない制御系（制御装置）や水処理装置８、水タンク１１、１２、２１、ガス関係ポンプ、水関係ポンプなどの各種ポンプ類を含む補機６５が収納されている。ここで、補機６５に設けられる水処理装置８には、市水が供給されるため、水道管４７を接続するための接続部４７Ａが設けられており、この接続部４７Ａは、図１に示す如く外装ケース６０の向かって左側の下面に引き出されている。また、この接続部４７Ａは、外装ケース６０内において分岐し、上記温水配管４２、４３の接続部４２Ｂ、４３Ｂに接続されている。これにより、市水が貯湯タンク７に供給されることとなる。
【００４０】
そして、外装ケース６０の向かって左側には、上述した昇圧コンバータ１５や系統連系インバータ１６などにより構成される電力変換装置が配設される。この電力変換装置から引き出される電気配線（単相３線）６６及び貯湯タンク７との通信線６７は、外装ケース６０の下面に設けられる図示しない貫通穴を通して接続可能とされる。
【００４１】
また、外装ケース６０の下面には、熱交換器３３に接続されたドレン水配管３６や燃料電池６や改質装置１３に接続されたドレン水配管３８からのドレン水を外部に排出するためのドレン接続部３６Ａ及び３８Ａが形成される。
【００４２】
以上の構成により、当該ＰＥＦＣ装置を前記パイプシャフト５０に設置する場合について説明する。通常、パイプシャフト５０は、向かって右側にガス管１７が配設され、各家庭用に分岐ガス管１７Ｂが設けられ、この分岐ガス管１７Ｂには、ガス流量を検量するためのガスメータ５１が設けられている。また、パイプシャフト５０の向かって左側に配設される水道管４７には、同じく各家庭用に分岐水道管４７Ｂが設けられ、この分岐水道管４７Ｂには、流水量を検量するための水量メータ５２が設けられている。
【００４３】
そのため、本発明のＰＥＦＣ装置を当該パイプシャフト５０に設置する場合には、先ず、パイプシャフト５０の壁面に外装ケース６０を取り付け、当該外装ケース６０の下面から引き出されるガス管の接続部１７Ａにガスメータ５１を介した後の分岐ガス管１７Ｂを接続する。また、同じく外装ケース６０の下面から引き出される水道管４７の接続部４７Ａを水量メータ５２を介した後の分岐水道管４７Ｂを接続する。
【００４４】
そして、貯湯タンク７とを接続する温水配管４２、４３を外装ケース６０の下面に設けられた接続部４２Ａ、４３Ａ及び４２Ｂ、４３Ｂに接続し、外装ケース６０の下面に設けられた前記貫通穴（貫通部）を通して電気配線（単相３線）６６や貯湯タンク７との通信線６７を接続する。また、ドレン水配管３６、３８は、当該ドレン水が排気可能な外部にまで引き出されているものとする。
【００４５】
以上詳述した如く、本発明のＰＥＦＣ装置は、図１及び図２に示す如く各種機器類が一つの外装ケース６０内にまとめて収容されているため、従来のようにこれらの各種機器類が分散配置された場合に比べて、設置スペースの削減が図れ、例えば家庭用電源として好適な装置となる。
【００４６】
また、ＰＥＦＣ装置から引き出されるガス管１７の接続部１７Ａと、温水配管４２、４３の接続部４２Ａ、４２Ｂ、４３Ａ及び４３Ｂと、ドレン水配管３６、３８の接続部３６Ａ、３８Ａとを、外装ケース６０の下面に配置することにより、外装ケース６０の背面を設置場所の壁面などに取り付けることが可能となり、各家庭に、容易に当該燃料電池システムＳを設置することができるようになる。
【００４７】
更にまた、上記構成により、燃料電池システムの各種配管の接続部の配置箇所を設置場所に応じて格別に変更を行うことなく、例えば集合住宅などの既存のパイプシャフトに容易に設置することができるようになり、利便性が向上する。
【００４８】
また、上記に加えて、貯湯槽７との間の通信線６７及び電気配線６６の接続部も、外装ケース６０の下面に配置することにより、燃料電池システムＳの背面を設置場所の壁に設けた場合であっても、容易に外装ケース６０から通信線６７及び電気配線６６の接続を行うことができるようになり、より利便性が向上する。
【００４９】
尚、上記実施例の如くＰＥＦＣ装置をパイプシャフト５０の壁面に取り付けないで設置する場合には、図４に示す如く、少なくとも上下左右及び前面に開口を有する設置台７０に載置することにより設置しても同様の効果を奏するものとする。
【００５０】
また、係るＰＥＦＣ装置をパイプシャフト５０等に設置する場合には、外装ケース６０に形成された排気口６３は、設置された際に、床から約１．８ｍ〜２．０ｍの高さとなるように設置することが望ましい。これにより、特に、パイプシャフト５０が通路やベランダなどに設置された場合であっても、通行する人の顔面に排気が吐出されることを回避することができる。
【００５１】
本実施例では、燃料ガスとして天然ガス、都市ガス、メタノール、ＬＰＧ、ブタンなどを用いているため、改質装置１３によって燃料電池システムＳに必要な水素を容易に得ることができ、通常、都市ガスやＬＰＧなどが供給されている集合住宅などにおける既存のパイプシャフト５０において、実施が容易となる。
【００５２】
【発明の効果】
以上詳述した如く本発明によれば、燃料ガスを水素に改質する改質装置と、水素によって発電する燃料電池と、廃熱を回収して温水とする熱交換器などを外装ケース内に収納して成る燃料電池システムであって、燃料ガスのガス管と、温水を蓄える貯湯槽との間の温水配管及びドレン水配管の接続部を、外装ケースの下面に配置したので、外装ケースの背面を設置場所の壁面などに取り付けることにより、容易に当該燃料電池システムを設置することができるようになる。
【００５３】
そのため、燃料電池システムの各種配管の接続部の配置箇所を設置場所に応じて格別に変更を行うことなく、例えば集合住宅などの既存のパイプシャフトに容易に設置することができるようになり、利便性が向上する。
【００５４】
請求項２の発明によれば、上記発明に加えて、貯湯槽との間の通信線及び電気配線の外装ケース貫通部を、外装ケースの下面に配置したので、当該燃料電池システムの背面を設置場所の壁に設けた場合であっても、容易に外装ケースを貫通させて通信線及び電気配線の接続を行うことができるようになり、より利便性が向上する。
【００５５】
請求項３の発明によれば、上記各発明に加えて、燃料ガスは、天然ガス、都市ガス、メタノール、ＬＰＧ、ブタンなどであるので、改質装置によって燃料電池システムに必要な水素を容易に得ることができ、集合住宅などにおける既存のパイプシャフトにおいて、実施が可能となる。
【図面の簡単な説明】
【図１】本発明の燃料電池システムの設置状態を説明する図である。
【図２】本発明の燃料電池システムの概略構成図である。
【図３】本発明による固体高分子形燃料電池発電装置の一実施形態を示す回路図である。
【図４】本発明の燃料電池システムの設置状態を説明する図である。
【符号の説明】
Ｓ  固体高分子形燃料電池発電システム
１  燃料ガス
２  脱硫器
６  燃料電池
７  貯湯タンク
８  水処理装置
９、１０、３１、３２、３４、３７、４１  配管
１３  改質装置
１７、２２、２３、２４、２５、２６  ガス管
１７Ａ  ガス管接続部
１７Ｂ  分岐ガス管
２７、３３  熱回収用熱交換器
３６、３８  ドレン水配管
３６Ａ、３８Ａ  ドレン接続部
４２、４３  温水配管
４２Ａ、４２Ｂ、４３Ａ、４３Ｂ、４７Ａ  接続部
４７  水道管
４７Ａ  接続部
４７Ｂ  分岐水道管
５０  パイプシャフト
５１  ガスメータ
５２  水量メータ
６０  外装ケース
６５  補機
６６  電気配線
６７  通信線
７０  設置台
【図１】
2004178916.tif 000003
【図２】
2004178916.tif 000004
【図３】
2004178916.tif 000005
【図４】
2004178916.tif 000006